(57)【要約】【課題】有害物質含有物品をその破損を防止して有害物質を周囲環境に漏洩させることなく土壌中から確実に分離、回収する。【解決手段】有害物質含有物品の混入した掘削土壌１から石、ガラ等を分離する振動篩を有する１次分離装置２と、前記１次分離装置２で石、ガラ等の大型混入物を取り除いた土壌に水を供給、混合してスラリー状土壌を得る混練装置４と、前記スラリー状土壌から有害物質含有物品を含む土壌を分離する回転篩６ａを有する２次分離装置６を備え、前記２次分離装置６で分離した有害物質含有物品を含む土壌から有害物質含有物品を分離して抽出することを特徴とする土壌処理システムおよび処理方法としたものである。【選択図】図１
2006281049.tif 000002
【特許請求の範囲】
【請求項１】
有害物質含有物品の混入した掘削土壌から石、ガラ等の大型混入物を分離して取り除く１次分離装置と、前記１次分離装置で石、ガラ等の大型混入物を取り除いた土壌に水を供給、混合してスラリー状土壌を得る混練装置と、前記スラリー状土壌から有害物質含有物品を含む土壌を分離する回転篩を有する２次分離装置を備え、前記２次分離装置で分離した有害物質含有物品を含む土壌から有害物質含有物品を分離して抽出することを特徴とする土壌処理システム。
【請求項２】
土壌に対して水を重量比で1倍から３倍の量を供給、混合してスラリー状土壌を得る請求項１に記載の土壌処理システム。
【請求項３】
２次分離装置の回転篩を通過した水を含む土壌を、砂等の粗粒土壌と水を含む粘性土等の細粒土壌に分離する３次分離装置と、前記水を含む細粒土壌を貯留して水と細粒土壌に分離する凝集沈殿装置と、前記凝集沈殿装置で分離した細粒土壌を脱水する脱水装置と、前記脱水装置で脱水した脱水土壌を粉砕する粉砕装置を備え、前記３次分離装置で分離した粗粒土壌と粉砕装置で粉砕した脱水土壌を混合して容器に収納することを特徴とする請求項１または２に記載の土壌処理システム。
【請求項４】
凝集沈殿装置で分離した上澄み水および脱水装置で分離した水を貯水する貯水槽を備え、貯水槽内の水を混練装置に供給することを特徴とする請求項３に記載の土壌処理システム。
【請求項５】
貯水槽内の水を無害化処理する濾過装置を備えたことを特徴とする請求項４に記載の土壌処理システム。
【請求項６】
有害物質含有物品の混入した掘削土壌から石、ガラ等の大型混入物を分離して取り除く１次分離ステップと、前記１次分離ステップで石、ガラ等の大型混入物を取り除いた土壌に水を供給、混合してスラリー状土壌を得る混練ステップと、前記スラリー状土壌から有害物質含有物品を含む土壌を分離する２次分離ステップを備え、前記２次分離ステップで分離した有害物質含有物品を含む土壌から有害物質含有物品を分離して抽出することを特徴とする土壌処理方法。
【請求項７】
土壌に対して水を重量比で１倍から３倍の量を供給、混合してスラリー状土壌を得る請求項６に記載の土壌処理方法。
【請求項８】
２次分離ステップの回転篩を通過した水を含む土壌を、砂等の粗粒土壌と水を含む粘性土等の細粒土壌に分離する３次分離ステップと、前記水を含む細粒土壌を貯留して水と細粒土壌に分離する凝集沈殿ステップと、前記凝集沈殿ステップで分離した細粒土壌を脱水する脱水ステップと、前記脱水ステップで脱水した細粒土壌を粉砕する粉砕ステップを備え、
前記３次分離ステップで分離した粗粒土壌と粉砕ステップで粉砕した細粒土壌を混合して容器に収納することを特徴とする請求項６または７に記載の土壌処理方法。
【請求項９】
凝集沈殿ステップで分離した上澄み水および脱水ステップで分離した水を貯水する貯水ステップを備え、前記貯水ステップで貯水した水を混練ステップに供給することを特徴とする請求項８に記載の土壌処理方法。
【請求項１０】
貯水ステップで貯水した水を無害化処理する濾過ステップを備えたことを特徴とする請求項９項に記載の土壌処理方法。
【発明の詳細な説明】
【技術分野】
【０００１】
本発明は、有害物質含有物品が混入している汚染土壌の処理システムおよび処理方法に関するものである。
【背景技術】
【０００２】
従来、変圧器、安定器、家電製品のペーパーコンデンサのような低圧トランス、コンデンサ等のＰＣＢ（ポリ塩化ビフェニル）含有部品、またプリント基板等の鉛含有部品、カドミニウムや水銀含有部品等の環境に有害な物質を含有する部品を回収して保管、管理、処理することが課題となっている。
【０００３】
前記のような有害な物質を含有する部品を含む有害物質含有物品が土壌中に混入している場合に、この部品の破損を防止して有害物質を周囲環境に漏洩させることなく土壌中から確実に分離、回収することが課題となっている。
【０００４】
なお、有害物質含有物品とは、前記のＰＣＢ（ポリ塩化ビフェニル）含有部品、またプリント基板等の鉛含有部品、カドミニウムや水銀含有部品等の環境に有害な物質を含有する部品及び、これらが土壌中で破損し、漏洩して付着した土壌中の石、土粒などをいう。
【０００５】
さらに前記のＰＣＢ（ポリ塩化ビフェニル）含有部品、またプリント基板等の鉛含有部品、カドミニウムや水銀含有部品等の環境に有害な物質を含有する部品が破損して土壌が汚染された状況における土壌および水の無害化処理も課題となっている。
【０００６】
従来これらの課題の代表的な解決手段として下記のものが知られている。
【０００７】
ＰＣＢ、廃液、廃油などの難分解な有害物質を構成部材またはその一部として含有するトランスやコンデンサ等の各種装置や、前記有害物質を内容物またはその一部として収納するドラム缶や箱等の各種容器のような廃棄物を、切断解体処理しない状態で溶融炉に燃料として投入し、高温で溶融処理することによって、前記有害物質を熱分解して無害化する廃棄物の処理方法である（例えば、特許文献１参照）。
【特許文献１】特開２００４−１５４６６６号公報
【発明の開示】
【発明が解決しようとする課題】
【０００８】
しかしながら、前記した特許文献１に記載のものは、ＰＣＢ、廃液、廃油などの難分解性の有害物質を含有または有害物質に汚染された装置、部品等の物品、これらが混入した汚染土壌、汚染水等と、または収納するドラム缶等の容器を、直接高温焼却炉で、高温を維持して燃焼させるので、多額な資金と大規模な設備を必要とし、また高温焼却炉の耐久性、燃焼による二次汚染の恐れもある。
【０００９】
前記したような有害物質を含有または有害物質に汚染された各要素を、事前に分離、選別することなく有害物質を含有または有害物質に汚染された要素全体を一括処理する方法とは別に、有害物質含有物品をその破損を防止して有害物質を周囲環境に漏洩させることなく土壌中から確実に分離、回収すること、さらに有害物質含有物品以外の土壌および土壌混入物に対して、各々に対応した最適の処理方法で、経済性の向上、設備の小型化等を図りつつ収納、保管管理または無害化処理を効率よく確実に実施できるシステムが求められている。
【００１０】
本発明は、前記従来の課題を解決するもので、有害物質含有物品をその破損を防止して有害物質を周囲環境に漏洩させることなく土壌中から確実に分離、回収することを目的とする。
【課題を解決するための手段】
【００１１】
有害物質含有物品の混入した掘削土壌から石、ガラ等の大型混入物を分離して取り除く１次分離装置と、前記１次分離装置で石、ガラ等の大型混入物を取り除いた土壌に水を供給、混合してスラリー状土壌を得る混練装置と、前記スラリー状土壌から有害物質含有物品を含む土壌を分離する回転篩を有する２次分離装置を備え、前記２次分離装置で分離した有害物質含有物品を含む土壌から有害物質含有物品を分離して抽出することを特徴とする土壌処理システムおよび処理方法としたものである。
【発明の効果】
【００１２】
本発明によれば、有害物質含有物品をその破損を防止して有害物質を周囲環境に漏洩させることなく土壌中から確実に分離、回収することできる。
【発明を実施するための最良の形態】
【００１３】
第１の発明は、有害物質含有物品の混入した掘削土壌から石、ガラ等の大型混入物を分離して取り除く１次分離装置と、前記１次分離装置で石、ガラ等の大型混入物を取り除いた土壌に水を供給、混合してスラリー状土壌を得る混練装置と、前記スラリー状土壌から有害物質含有物品を含む土壌を分離する回転篩を有する２次分離装置を備え、前記２次分離装置で分離した有害物質含有物品を含む土壌から有害物質含有物品を分離して抽出することを特徴とする土壌処理システムとしたものである。
【００１４】
これによって、有害物質含有物品をその破損を防止して有害物質を周囲環境に漏洩させることなく土壌中から確実に分離、回収することできる。
【００１５】
第２の発明は、第１の発明において、土壌に対して水を重量比で１倍から３倍の量を供給、混合してスラリー状土壌を得る土壌処理システムとしたものである。
【００１６】
これによって、必要最小限の水供給量で土壌をスラリー状にし、土壌塊および有害物質含有物品を包み込んでいた土壌塊を解すことができる。
【００１７】
水供給量は、土壌の含水率によって異なるが、例えば含水率６０％の土壌に対しては、
重量比で１．５倍の水を供給することで、スラリー状土壌を得ることができる。
【００１８】
また、含水率が８５％を超える土壌に対しては、重量比で１倍の水を供給することで、
スラリー状土壌を得ることができる。
【００１９】
さらに、含水率が１５％以下の土壌に対しては、重量比で３倍の水を供給することでス
ラリー状土壌を得ることができる。
【００２０】
第３の発明は、第１または２の発明において、２次分離装置の回転篩を通過した水を含む土壌を、砂等の粗粒土壌と水を含む粘性土等の細粒土壌に分離する３次分離装置と、前記水を含む細粒土壌を貯留して水と細粒土壌に分離する凝集沈殿装置と、前記凝集沈殿装置で分離した細粒土壌を脱水する脱水装置と、前記脱水装置で脱水した脱水土壌を粉砕する粉砕装置を備え、前記３次分離装置で分離した粗粒土壌と粉砕装置で粉砕した脱水土壌を混合して容器に収納することを特徴とする土壌処理システムしたものである。
【００２１】
これによって、有害物質含有物品以外の土壌を複数の粒径ごとに分離、収納したことによって土壌の表面に付着した有害物質の洗浄等の無害化処理を最適な装置を選択して効率的に実施できる。
【００２２】
第４の発明は、第１〜３のいずれかの発明において、凝集沈殿装置で分離した上澄み水および脱水装置で分離した水を貯水する貯水槽を備え、貯水槽内の水を混練装置に供給することを特徴とする土壌処理システムとしたものである。
【００２３】
これによって、水道水等の水の供給量を少なくすることができるとともに発生する汚染水の全体量を減少させることができる。
【００２４】
第５の発明は、第４の発明において、貯水槽内の水を無害化処理する濾過装置を備えたことを特徴とする土壌処理システムしたものである。
【００２５】
これによって、有害物質を無害化処理し、環境基準値以下の有害物質濃度を確認後放流することができる。
【００２６】
第６の発明は、有害物質含有物品の混入した掘削土壌から石、ガラ等の大型混入物を分離して取り除く１次分離ステップと、前記１次分離ステップで石、ガラ等の大型混入物を取り除いた土壌に水を供給、混合してスラリー状土壌を得る混練ステップと、前記スラリー状土壌から有害物質含有物品を含む土壌を分離する２次分離ステップを備え、前記２次分離ステップで分離した有害物質含有物品を含む土壌から有害物質含有物品を分離して抽出することを特徴とする土壌処理方法としたものである。
【００２７】
これによって、有害物質含有物品をその破損を防止して有害物質を周囲環境に漏洩させることなく土壌中から確実に分離、回収することできる。
【００２８】
第７の発明は、第６の発明において、土壌に対して水を重量比で１倍から３倍の量を供給、混合してスラリー状土壌を得る土壌処理方法としたものである。
【００２９】
これによって、必要最小限の水供給量で土壌をスラリー状にし、土壌塊および有害物質含有物品を包み込んでいた土壌塊を解すことができる。
【００３０】
水供給量は、土壌の含水率によって異なるが、例えば含水率６０％の土壌に対しては、
重量比で１．５倍の水を供給することで、スラリー状土壌を得ることができる。
【００３１】
また、含水率が８５％を超える土壌に対しては、重量比で１倍の水を供給することで、
スラリー状土壌を得ることができる。
【００３２】
さらに、含水率が１５％以下の土壌に対しては、重量比で３倍の水を供給することでス
ラリー状土壌を得ることができる。
【００３３】
第８の発明は、第６または７の発明において、２次分離ステップの回転篩を通過した水を含む土壌を、砂等の粗粒土壌と水を含む粘性土等の細粒土壌に分離する３次分離ステップと、
前記水を含む細粒土壌を貯留して水と細粒土壌に分離する凝集沈殿ステップと、前記凝集沈殿ステップで分離した細粒土壌を脱水する脱水ステップと、前記脱水ステップで脱水した脱水土壌を粉砕する粉砕ステップを備え、前記３次分離ステップで分離した粗粒土壌と粉砕ステップで粉砕した脱水土壌を混合して容器に収納することを特徴とする土壌処理方法としたものである。
【００３４】
これによって、有害物質含有物品以外の土壌を複数の粒径ごとに分離、収納したことによって土壌の表面に付着した有害物質の洗浄等の無害化処理を最適な装置を選択して効率的に実施できる。
【００３５】
第９の発明は、第８の発明において、凝集沈殿ステップで分離した上澄み水および脱水ステップで分離した水を貯水する貯水ステップを備え、前記貯水ステップで貯水した水を混練ステップに供給することを特徴とする土壌処理方法としたものである。
【００３６】
これによって、水道水等の水の供給量を少なくすることができるとともに発生する汚染水の全体量を減少させることができる。
【００３７】
第１０の発明は、第９の発明において、貯水ステップで貯水した水を無害化処理する濾過ステップを備えたことを特徴とする土壌処理方法としたものである。
【００３８】
これによって、有害成分を無害化処理し、環境基準値以下の有害成分濃度を確認後放流することができる。
【実施例】
【００３９】
以下、本発明の実施例について図面を参照しながら説明する。
【００４０】
本発明の一実施例の土壌処理システムおよび土壌処理方法を図１、図２を参照しながら説明する。図１は本発明の実施例の土壌処理システムのブロック構成図、図２は図１に対応させた処理ステップを示すフロー図である。以下、本発明の一実施例を図面に基づいて説明する。
【００４１】
図１、図２において、まず、ＰＣＢ、鉛、水銀等のいずれかを含有する有害物質含有物品が混入し、また有害物質が土壌中に漏洩している恐れのある容器１中の掘削土壌は、振動篩２ａ、ベッセル２ｂを有する１次分離装置２に搬送される。
【００４２】
この1次分離装置２は、振動篩２ａの網目が例えば３０ｍｍ程度に設定されており、振動篩２ａ上には土壌中に混入している比較的大サイズの石、ガラ等の大型混入物が残り、これらを容器３に収納し保管、管理する。振動篩２ａを通過して下に振るい落とされた有害物質含有物品の混入した土壌はベッセル２ｂ内に収容する（図２、Ｓ１００）。
【００４３】
なお1次分離装置２は、スクリーンマット面を波動運動させるジャンピングスクリーン、徐々に網目を細かくした多層スクリーンを用いてもよい。
【００４４】
また１次分離装置２は、篩を固定し、篩上で掘削土壌を移動させる手段や土壌に振動を加える手段を用いてもよい。
【００４５】
次に、前記石、ガラ等の大型混入物を取り除いたベッセル２ｂ内の土壌を、ミキサーである混練装置４に搬送する。混練装置４内の土壌に給水ライン５から水を供給して強制的に湿潤させて混練する（Ｓ１０１）。
【００４６】
このとき土壌に対して約２倍の量（重量比）を供給して流動化させる。これによって、土壌はスラリー状となり、塊状の土壌や有害物質含有物品を包み込んでいた土壌塊が解れて微細化するとともに、有害物質含有物品が土壌から分離、露出するものである。また混練装置４は、モータで駆動される回転翼（図示なし）を備えており、前記回転翼を例えば一分間に５〜１０回転の低速で回転させる。
【００４７】
また、供給水に用いられる水には、河川水、地下水、水道水等の一般的にいう水の他、土壌分散剤、界面活性剤を含む水も含まれる。
【００４８】
土壌分散剤、界面活性剤は、土壌の種類や圧縮程度など土壌の状態に応じて適宜選定すればよい。土壌に供給する水量は、少なすぎると微細化できず、有害物質含有物品を包み込んでいた土壌塊が解れない状態が発生し、また多すぎると全体量を増加させ、経済性の観点と水の処理負荷がより増して好ましくない。
【００４９】
最適な混合割合を求めた結果、土壌に対して約２倍の量（重量比）を供給することが、最少の水供給量として、かつ塊状の土壌や有害物質含有物品を包み込んでいた土壌塊を解して、スラリー状にする点で好ましいものである。また土壌への水の供給量は、掘削した土壌１の含水状態に応じて調節すればよい。
【００５０】
次に、混練装置４で混練したスラリー状土壌を２次分離装置６に搬送する。この２次分離装置６は円筒状に構成した回転篩６ａを有する回転式の分離機（トロンメル）で、円筒状の回転篩６ａは土壌の投入口側６ｂが出口側６ｃよりも高い位置になるよう傾斜させてある。
【００５１】
本実施例においては、回転篩６ａの網目が例えば５ｍｍ程度に設定されており、円筒状の回転篩６ａの内部に投入されたスラリー状土壌は、傾斜した円筒状の回転篩６ａ内を移動し、回転篩６ａの網目を通過せず回転篩６ａ内に残った有害物質含有物品と小石、ガラ等の混入した土壌を出口側６ｃから排出する。
【００５２】
また網目を通過した水を含む土壌は、２次分離装置６の下部に溜まる（Ｓ１０２）。回転篩６ａは減速機構を有する駆動手段（図示なし）で駆動し、前記回転篩６ａを例えば一分間に５回転の低速で回転させる。
【００５３】
この回転篩６ａの網目を通過せず回転篩６ａ内に残った有害物質含有物品と小石の混入した土壌は、傾斜した円筒状の回転篩６ａ内を円周方向と出口側６ｃ方向にゆっくり移動することによって、有害物質含有物品への小石の接触時の衝撃力を弱め破損を防止することができる。
【００５４】
また水を含む土壌が網目を通過することによって有害物質含有物品の表面に付着した土壌が除去される。
【００５５】
２次分離装置６において分離した有害物質含有物品と小石の混入した土壌は、一定スペースの選別ブロック７に平面状に拡散させ、有害物質含有物品を小石から目視にて分離、選別し（Ｓ１０３）、有害物質含有物品を容器８に、小石を容器９に収納して保管、管理する。
【００５６】
なお有害物質含有物品を目視にて分離、選別するようにしたが、有害物質含有物品の形状、物性的な特徴、例えば画像認識技術、比重差、質量差、磁性有無等を利用して分離、選別してもよい。
【００５７】
また、前記１次分離装置２の振動篩２ａ、２次分離装置６の回転篩６ａの網目のサイズは、有害物質含有物品のサイズ、形状、掘削土壌１の種類や特性、混入物のサイズ等に応じて適宜最適条件に設定すればよい。
【００５８】
前記したように１次分離装置２で石、ガラ等の大型混入物を取り除き、さらに水を供給してスラリー状土壌としたことによって、低速回転で駆動する混練装置４、回転篩６ａによる２次分離装置６において有害物質含有物品と、小石が接触した状態での衝撃力を弱め、有害物質含有物品の破損を防止するこができる。
【００５９】
また、水を供給してスラリー状土壌としたことによって、塊状の土壌や有害物質含有物品を包み込んでいた土壌塊が解れて微細化して有害物質含有物品が土壌から分離、露出する。
【００６０】
さらに、２次分離装置６において水を含む土壌を取り除き、残った有害物質含有物品と小石の混入した土壌から有害物質含有物品を分離、抽出するようにしたことによって、より厳重な保管、管理が必要な有害物質含有物品を短時間で明確に識別して分離することが可能となり処理効率を向上させることができる。
【００６１】
次に、前記２次分離装置の回転篩６ａを通過して分離した水を含む土壌を、振動篩１０ａ、ベッセル１０ｂを有する３次分離装置１０に搬送する。前記３次分離装置１０は、振動篩１０ａの網目が例えば０．７５ｍｍ程度に設定されており、振動篩１０ａ上には砂等の粗粒土壌が残り、網目が０．７５ｍｍの振動篩１０ａを通過して下に振るい落とされた水を含む粘性土等の細粒土壌はベッセル１０ｂ内に収容する（Ｓ１０４）。前記粗粒土壌の一部は容器１１に収納し、他は後に説明する混合槽２７に搬送する。なお３次分離装置１０は、篩面を波動運動させるジャンピング篩、徐々に網目を細かくした多層篩を用いてもよい。
【００６２】
次に、前記３次分離装置１０で分離したベッセル１０ｂ内の水を含む粘性土等の細粒土壌を凝集沈殿装置１２に搬送する。凝集沈殿装置１２に一定量貯留した水を含む粘性土等の細粒土壌は、比重差により細粒土壌が下部に沈降し、上澄み水と細粒土壌に分離する（Ｓ１０５）。前記上澄み水を供給管１３、ポンプ１４を介して貯水槽１５に供給し一定量貯留する（Ｓ１０６）。さらに貯水槽１５内の貯留水を供給管１６、ポンプ１７を介して活性炭を有する濾過装置１８に供給し無害化処理するとともに排出管１９より放流するものである（Ｓ１０７）。前記貯留水は貯水槽１５内の水位を検出して連続または間欠的に濾過装置１８に供給する。
【００６３】
また、貯水槽１５内の貯留水を供給管２０、ポンプ２１を介して混練装置４に供給し、前記１次分離装置２で石、ガラ等の大型混入物を取り除いた土壌を強制的に湿潤させて混練する。これによって、給水ライン５からの水道水等の水の供給量を少なくすることができ、さらに濾過装置１８での有害物質の無害化処理の負荷を小さくすることができる。
【００６４】
また、貯留槽１５内の貯留水と、給水ライン５からの水とを適宜選択して土壌に供給するか、事前に上澄み汚染水と給水ライン５からの水を混合させて供給させる。
【００６５】
次に、前記凝集沈殿装置１２で沈降して分離した水を含む細粒土壌を、供給管２２を介してポンプ２３により脱水装置２４（フィルタープレス）に供給し、脱水した細粒土壌（以下、脱水土壌として説明する）と水に分離する（Ｓ１０８）。脱水装置２４は、フィルター２４ａ内に前記細粒土壌を送り込み、フィルター２４ａに圧力をかけて含水率を３０％程度に脱水した脱水土壌と水に分離するものである。分離した水は、供給管２５、ポンプ２６を介して貯水槽１５内に供給する。これによって、給水ライン５からの水道水等の水の供給量を少なくすることができ、さらに濾過装置１８での有害物質の無害化処理の負荷を小さくすることができる。
【００６６】
一方、前記脱水装置２４で脱水した脱水土壌を粉砕装置２７に搬送する。粉砕装置２７は、モータで駆動される回転翼（図示なし）を備えており、脱水装置２４のフィルター２４ａの圧力で圧縮されて固形物（ケーキ）となった脱水土壌を、前記回転翼によって細かく粉砕する（Ｓ１０９）。
【００６７】
次に、前記３次分離装置１０で分離した粗粒土壌と粉砕装置２７で粉砕した脱水土壌とを混合して混合土壌とする（Ｓ１１０）。粗粒土壌と粉砕した脱水土壌は例えば各々同量を混合槽２８内にて手動または撹拌手段（図示なし）で混合し、これを容器２９に収納する。粗粒土壌と粉砕した脱水土壌は、混合せずに各々を容器に収納してもよいが、脱水土壌は粒子が細かいために団粒化しやすく、脱水土壌に付着した有害物質を洗浄等の手段で分離して無害化処理する際に、再び粉砕の必要が生じる。
【００６８】
このため脱水土壌よりも粒子の大きい粗粒土壌と混合させることによって団粒化を防止し、前記無害化処理する際の余分な工程をなくすことができる。なお粗粒土壌と粉砕した脱水土壌の混合は、団粒化を防止できる割合を確認し適宜選択すればよい。
【００６９】
また脱水土壌は粉砕前または粉砕時にさらに風力乾燥をさせてもよく、この場合には団粒化をより防止することができる。
【００７０】
以上のように、２次分離装置６の回転篩６ａを通過した水を含む土壌を、振動篩１０ａを有する３次分離装置１０で砂等の粗粒土壌と水を含む粘性土等の細粒土壌に分離する。次に凝集沈殿装置１２で水を含む細粒土壌を貯留して水と細粒土壌に分離し、この分離した細粒土壌を脱水装置２４で脱水する。さらに脱水土壌を粉砕装置２７で粉砕し前記3次分離装置１０で分離した粗粒土壌と混合槽２８で混合して容器に収納するものである。
【００７１】
掘削土壌には石等の荒い成分の土壌から細粒の土壌まで様々なサイズ、形状の土壌物質が混在している。
【００７２】
これらの各々土壌の表面に漏洩した有害物質が付着し、この有害物質は比表面積のより大きい細粒の土壌成分に多く存在している。
【００７３】
また石等の表面は洗浄処理によって有害物質を除去しやすいが、細粒の土壌のみでは洗浄水が土壌粒子間に侵入しにくく洗浄処理が困難となり有害物質を除去しにくい場合がある。
【００７４】
さらに荒い成分の土壌から細粒の土壌が混在したままでの洗浄処理では一層洗浄処理が困難となる。
【００７５】
前記したような課題に対して、本発明においては１次分離装置２、２次分離装置６に加え３次分離装置１０、凝集沈殿装置１２によって有害物質含有物品以外の土壌を分級処理して複数の粒径ごとに分離する。さらに最も粒径の小さい細粒土壌はこれよりも粒径の大きい砂等の粗粒土壌と混合するものである。
【００７６】
これによって複数の粒径ごとに分離、収納したことによって土壌の表面に付着した有害物質の洗浄等の無害化処理を最適な装置を選択して効率的に実施できる。
【００７７】
また、掘削した土壌に水を供給、混合してスラリー状土壌とし、このスラリー状土壌を混練装置４、２次分離装置６に加え３次分離装置１０、凝集沈殿装置１２、脱水装置２４による処理ステップを順次行うことによって、供給した水による土壌表面の有害物質を洗浄する作用を生じる。したがって土壌表面に付着する有害物質を減少させるともに供給した水に含有する有害物質は濾過装置１８で無害化処理することができる。
【００７８】
なお、有害物質含有物品以外の土壌を分級処理して複数の粒径ごとに分離して各々容器に収納し、この後の保管、管理または洗浄処理を実施しやすいようにしたが、有害物質の濃度を測定しこの濃度が環境基準以下であれば掘削場所に埋め戻しを行うものである。
【００７９】
なお、貯水槽１５と混練装置４、貯水槽１５と濾過装置１８、凝集沈殿装置１２と貯水槽１５、凝集沈殿装置１２と脱水装置２４の各々の接続は供給管およびポンプにより構成したが、落差を与えて供給してもよく、容器に入れて搬送してもよい。
【００８０】
さらに１次分離装置２と混練装置４、混練装置４と２次分離装置６、２次分離装置６と凝集沈殿装置１２等の各々間の搬送は、容器に収納して移動手段で搬送、落差を与えて搬送、吸引手段等の方法を適宜用いればよい。
【００８１】
以上のように本発明は、有害物質含有物品をその破損を防止して有害物質を周囲環境に漏洩させることなく土壌中から確実に分離、回収することできる。
【００８２】
さらに有害物質含有物品以外の土壌を複数の粒径ごとに分離、収納したことによって土壌の表面に付着した有害物質の洗浄等の無害化処理を最適な装置を選択して効率的に実施できる。
【産業上の利用可能性】
【００８３】
土壌に混入した汚染源となる比較的小型の物品の分離、選別を必要とする広範囲の用途に適用できる。
【図面の簡単な説明】
【００８４】
【図１】本発明の一実施例の土壌処理システムのブロック構成図
【図２】図１に対応させた処理ステップを示すフロー図
【符号の説明】
【００８５】
１    掘削土壌
２    １次分離装置
２ａ    振動篩
２ｂ    ベッセル
３    容器
４    混練装置
５    給水ライン
６    ２次分離装置
６ａ    回転篩
６ｂ    投入口側
６ｃ    出口側
７    選別ブロック
８    容器
９    容器
１０    ３次分離装置
１０ａ    振動篩
１０ｂ    ベッセル
１１    容器
１２    凝集沈殿装置
１３    供給管
１４    ポンプ
１５    貯水槽
１６    供給管
１７    ポンプ
１８    濾過装置
１９    排出管
２０    供給管
２１    ポンプ
２２    供給管
２３    ポンプ
２４    脱水装置
２４ａ    フィルター
２５    供給管
２６    ポンプ
２７    粉砕装置
２８    混合槽
２９    容器
【図１】
2006281049.tif 000003
【図２】
2006281049.tif 000004